(57)【要約】【課題】  未確認の映像と確認済みの映像を別々のフォルダに保存し、録画の確認作業を容易にする。【解決手段】  居室親機等のインターホン装置に、外部から受信した映像を記録する記憶部と、記憶部の映像Ｎ１〜Ｎ６を再生する表示部４６と、次へボタン６３、戻りボタン６４により指定された映像Ｎを記憶部から読み出して表示部４６に表示させる制御部とを設ける。記憶部は、未確認の映像を保存する第１フォルダと、確認済みの映像を保存する第２フォルダとを備える。ユーザーは、再生ボタン６５を操作し、第１フォルダの映像を表示部４６上で確認する。終了ボタン６６が操作されるまで、制御部は、未確認の映像を第１フォルダに残すための制御を行う。【選択図】  図７
2015103865.tif 000002
【特許請求の範囲】
【請求項１】
外部から受信した映像を記録する記憶部と、該記憶部の映像を再生する表示部と、該表示部上で映像を確認するためにユーザーが操作する操作部と、該操作部により指定された映像を前記記憶部から読み出して前記表示部に表示させる制御部とを備え、
前記記憶部が、未確認の映像を保存する第１フォルダと、確認済みの映像を保存する第２フォルダとを含み、
前記操作部が、前記第１フォルダの映像を前記表示部上で確認するために再生させる再生ボタンと、前記映像の確認を終了するときに操作される終了ボタンとを含み、
前記制御部が、前記終了ボタンにより確認済みとなるまで前記未確認の映像を前記第１フォルダに残す制御を行うことを特徴とするインターホン装置。
【請求項２】
前記第２フォルダが、前記確認済みの映像に加えて前記未確認の映像を受信時刻順に保存し、前記表示部が、ユーザーに前記第１フォルダまたは前記第２フォルダを選択させるためのフォルダ選択画面と、選択されたフォルダの映像を受信時刻順に表示するための映像表示画面とを備える請求項１記載のインターホン装置。
【請求項３】
前記操作部が、前記第１および第２フォルダから映像を削除するための削除ボタンを含み、前記制御部が、どちらか一方のフォルダで削除された映像を他方のフォルダからも削除する請求項２記載のインターホン装置。
【請求項４】
前記第１フォルダに映像が保存されていない場合に、前記制御部が、前記フォルダ選択画面に前記第１フォルダを非表示または選択不能に表示させる請求項２又は３記載のインターホン装置。
【請求項５】
前記制御部が、前記第１フォルダの映像のうち一度も再生されていない映像を未読マークと一緒に前記映像表示画面上に表示させる請求項２、３又は４に記載のインターホン装置。
【請求項６】
前記制御部が、前記一度も再生されていない映像の少なくとも一部が前記映像表示画面に表示された時点で、前記未読マークを前記映像表示画面から消去する請求項５記載のインターホン装置。
【請求項７】
前記制御部が、前記再生ボタンが操作された時点で、前記未読マークを前記映像表示画面から消去する請求項５記載のインターホン装置。
【請求項８】
前記制御部が、前記未読マークを前記映像表示画面および前記フォルダ選択画面に表示させ、前記フォルダ選択画面において前記第１フォルダが選択された時点で、前記未読マークを前記映像表示画面から消去する請求項５記載のインターホン装置。
【請求項９】
前記操作部が、前記第１フォルダの映像を一括して削除するための一括削除ボタンを含み、該ボタンが操作されたときに、前記制御部が、前記第２フォルダに保存された映像から前記未読マークを表示させるためのフラグを消滅させる請求項５、６、７又は８に記載のインターホン装置。
【請求項１０】
前記操作部が、前記第１フォルダの映像を一括して削除するための一括削除ボタンを含み、該ボタンが操作されたときに、前記制御部が、一括された前記映像を前記第１フォルダから前記第２フォルダに移す請求項１記載のインターホン装置。
【発明の詳細な説明】
【技術分野】
【０００１】
本発明は、外部から受信した映像を記憶部に記録し、表示部上で再生してユーザーが確認する機能を備えたインターホン装置に関する。
【背景技術】
【０００２】
インターホン装置において、映像は様々なシーンで記録されている。例えば、集合住宅のインターホンシステムでは、集合玄関機のカメラが撮像した来訪者の映像、居住者自らが記録した映像、管理室からの連絡情報を含む映像、警報アイコン等の画像を含む映像が居室親機の記憶部に記録され、表示部に表示される。特許文献１には、来訪者の映像をドアホン子機に装着されたフラッシュメモリに記録し、ドアホン親機のメモリに転送してモニタに表示させる技術が記載されている。
【０００３】
従来、これらの映像を時系列データとして記憶部に保存し、ユーザーの操作に従って受信時刻順に表示する技術が知られている。また、未だ読み出していない映像を既に読み出した映像よりも先に確認できるように、未読の映像に続けて既読の映像をモニタに表示する技術も知られている。例えば、特許文献２には、受信した映像に時刻情報を添付し、最新の映像に新着フラグを立て、未読の映像をいち早く読み出してモニタに表示させる技術が記載されている。
【先行技術文献】
【特許文献】
【０００４】
【特許文献１】特開２００２−２９０５９３号公報
【特許文献２】特開２０１３−１３１９１５号公報
【発明の概要】
【発明が解決しようとする課題】
【０００５】
ところが、前者の従来技術によると、一度見た映像を再確認するような場合に、ユーザーはその映像よりも遅く受信した映像を表示させた後でなければ、必要とする映像を見ることができないという問題点があった。また、後者の従来技術によると、受信時刻に関わらず最初に未読の映像を表示させるので、その映像がいつ受信したものなのかを確認するのが困難になるという別の問題点があった。
【０００６】
そこで、本発明の目的は、録画の確認作業を容易に行うことができるインターホン装置を提供することにある。
【課題を解決するための手段】
【０００７】
上記課題を解決するために、本発明は次のようなインターホン装置を提供する。
（１）外部から受信した映像を記録する記憶部と、記憶部の映像を再生する表示部と、表示部上で映像を確認するためにユーザーが操作する操作部と、操作部により指定された映像を記憶部から読み出して表示部に表示させる制御部とを備え、記憶部が、未確認の映像を保存する第１フォルダと、確認済みの映像を保存する第２フォルダとを含み、操作部が、第１フォルダの映像を表示部上で確認するために再生させる再生ボタンと、映像の確認を終了するときに操作される終了ボタンとを含み、制御部が、終了ボタンにより確認済みとなるまで未確認の映像を第１フォルダに残す制御を行うことを特徴とするインターホン装置。
【０００８】
（２）第２フォルダが、確認済みの映像に加えて未確認の映像を受信時刻順に保存し、表示部が、ユーザーに第１フォルダまたは第２フォルダを選択させるためのフォルダ選択画面と、選択されたフォルダの映像を受信時刻順に表示するための映像表示画面とを備えることを特徴とする上記１に記載のインターホン装置。
【０００９】
（３）操作部が、第１および第２フォルダから映像を削除するための削除ボタンを含み、制御部が、どちらか一方のフォルダで削除された映像を他方のフォルダからも削除するための制御を行うことを特徴とする上記２に記載のインターホン装置。
【００１０】
（４）第１フォルダに映像が保存されていない場合に、制御部が、フォルダ選択画面に第１フォルダを非表示または選択不能に表示させるための制御を行うことを特徴とする上記２又は３に記載のインターホン装置。
【００１１】
（５）制御部が、第１フォルダの映像のうち一度も再生されていない映像を未読マークと一緒に映像表示画面上に表示させるための制御を行うことを特徴とする上記２、３又は４に記載のインターホン装置。
【００１２】
（６）制御部が、一度も再生されていない映像の少なくとも一部が映像表示画面に表示された時点で、未読マークを映像表示画面から消去するための制御を行うことを特徴とする上記５に記載のインターホン装置。
【００１３】
（７）制御部が、再生ボタンが操作された時点で、未読マークを映像表示画面から消去するための制御を行うことを特徴とする上記５に記載のインターホン装置。
【００１４】
（８）制御部が、未読マークを映像表示画面およびフォルダ選択画面に表示させ、フォルダ選択画面において第１フォルダが選択された時点で、未読マークを映像表示画面から消去するための制御を行うことを特徴とする上記５に記載のインターホン装置。
【００１５】
（９）操作部が、第１フォルダの映像を一括して削除するための一括削除ボタンを含み、このボタンが操作されたときに、制御部が、第２フォルダに保存された映像から未読マークを表示させるためのフラグを消滅させるための制御を行うことを特徴とする上記５、６、７又は８に記載のインターホン装置。
【００１６】
（１０）操作部が、第１フォルダの映像を一括して削除するための一括削除ボタンを含み、このボタンが操作されたときに、制御部が、一括された映像を第１フォルダから第２フォルダに移すための制御を行うことを特徴とする上記１に記載のインターホン装置。
【発明の効果】
【００１７】
本発明のインターホン装置によれば、未確認の映像を第１フォルダに保存し、確認済みの映像を第２フォルダに保存するので、ユーザーは必要とする映像を別々のフォルダから読み出して速やかに確認することができる。また、終了ボタンの操作によって確認済みとなるまでは、未確認の映像が第１フォルダに残っているので、一度見た映像を繰り返し確認することもでき、総じて、録画の確認作業が容易になるという優れた効果がある。
【図面の簡単な説明】
【００１８】
【図１】本発明の一実施形態を示すインターホンシステムの概略図である。
【図２】図１のシステムにおける集合玄関機の構成を示すブロック図である。
【図３】図１のシステムにおける制御機の構成を示すブロック図である。
【図４】図１のシステムにおける居室親機の構成を示すブロック図である。
【図５】図４の居室親機における記憶部の構成を示す模式図である。
【図６】図４の居室親機における操作部と表示部の構成を示す外観図である。
【図７】図５の未読フォルダに保存された映像の確認作業を示す模式図である。
【図８】図７の確認操作により変化した記憶部の構成を示す模式図である。
【図９】図８の既読フォルダに保存された映像の確認作業を示す模式図である。
【図１０】図８の全保存フォルダに保存された映像の確認作業を示す模式図である。
【図１１】図７のフォルダ選択画面の変更例を示す模式図である。
【発明を実施するための形態】
【００１９】
以下、本発明のインターホン装置を集合住宅におけるインターホンシステムの居室親機に具体化した一実施形態を図面に基づいて説明する。ただし、本発明のインターホン装置は、集合住宅のインターホンシステムに限定されず、戸建住宅のインターホンシステム、病院または介護施設のナースコールシステムなどに適用することもできる。
【００２０】
図１に示すインターホンシステム１では、集合住宅の玄関にエントランスカメラ２と集合玄関機１０とが設置され、管理室等に制御機３０が設置され、複数の住居の居室に居室親機４０が設置されている。エントランスカメラ２は、玄関とその周辺の様子を監視し、監視情報を集合玄関機１０と制御機３０に送信する。
【００２１】
図２に示すように、集合玄関機１０には、制御機３０と通信する通信回路１１、居住者や管理人と通話するマイク１４およびスピーカ１５、音声情報を処理する通話回路１２、来訪者を撮影するカメラ２０、カメラ２０の映像データを処理するカメラ映像回路１８、来訪者が操作する呼出ボタンやテンキ―等の操作部１６、ガイダンスやメッセージ等を表示する表示部１７、集合玄関機１０各部の動作を制御する集合玄関機ＣＰＵ１３が設けられている。
【００２２】
図３に示すように、制御機３０には、集合玄関機１０と通信する通信回路３１、居室親機４０と通信する通信回路３２、制御機３０各部の動作を制御する制御機ＣＰＵ３３が設けられている。
【００２３】
図４に示すように、居室親機４０には、制御機３０と通信する通信回路４１、来訪者や管理人と通話するマイク４４およびスピーカ４５、音声情報を処理する通話回路４２、集合玄関機１０や制御機３０など外部から受信した映像を記録する記憶部４８、記憶部４８の映像を表示する表示部４６、表示部４６上で来訪者等の映像を確認するために居住者が操作する操作部４７、操作部４７により指定された映像を記憶部４８から読み出して表示部４６に表示させるための制御を行う居室親機ＣＰＵ４３が設けられている。なお、表示部４６上に表示される映像には、静止画または動画、あるいは複数枚の静止画からなる準動画も含まれる。
【００２４】
図５に示すように、居室親機４０の記憶部４８には、居住者が未だ確認していない映像を保存する第１フォルダとしての未読フォルダ４９と、確認済みの映像のみを保存する既読フォルダ５０と、確認済みの映像に加えて未確認の映像、つまり全ての映像データを保存する第２フォルダとしての全保存フォルダ５１とが設けられている。そして、それぞれのフォルダ４９，５０，５１に来訪者の映像、管理室からの連絡事項を含む映像、警報アイコンを含む映像等が受信時刻に従う時系列データとして保存される。なお、既読フォルダ５０を省略し、記憶部４８を未読フォルダ４９と全保存フォルダ５１とで構成することもできる。
【００２５】
図６に示すように、居室親機４０の表示部４６は、親機ケース５２の前面に設けられたタッチパネル・ディスプレイを含み、このディスプレイにトップ画面５３、フォルダ選択画面５４、映像表示画面５５（図７参照）を選択的に表示する。トップ画面５３には、例えば、「管理室を呼ぶ」ボタン５６、「外出する」ボタン５７、「録画を確認する」ボタン５８が設けられている。そして、居住者が指先Ｆで「録画を確認する」ボタン５８を操作したときに、表示部４６の表示がトップ画面５３からフォルダ選択画面５４に移行する。
【００２６】
フォルダ選択画面５４には、居住者が未読フォルダ４９に保存された映像（録画録音データ）を再生したいときに操作する「新着（未読）」ボタン５９、既読フォルダ５０に保存された映像を再生したいときに操作する「既読」ボタン６０、全保存フォルダ５１に保存された映像を再生したいときに操作する「ＡＬＬ」ボタン６１が設けられている。そして、居住者が３つのボタン５９，６０，６１のうち何れか一つを操作することで、３つのフォルダ４９，５０，５１から一つを選択し、選択したフォルダの映像を確認できるようになっている。なお、既読フォルダ５０を省いたときには、フォルダ選択画面５４から「既読」ボタン６０を省略できる。
【００２７】
フォルダ選択画面５４で何れか一つのボタンが操作されると、図７に示すように、表示部４６の表示がフォルダ選択画面５４から映像表示画面５５に移行する。映像表示画面５５には、表示部４６の映像領域６２に表示される映像Ｎを先送りするための次へボタン６３、映像を戻すための戻りボタン６４、映像領域６２に表示された映像を確認のために再生する再生ボタン６５、映像の確認作業を終了するときに操作される終了ボタン６６、３つのフォルダ４９，５０，５１から映像を一つ一つ削除するための削除ボタン６７、各フォルダ４９，５０，５１の映像を一括して削除するための一括削除ボタン６８が設けられている。
【００２８】
居住者がフォルダ選択画面５４において、「新着（未読）」ボタン５９により未読フォルダ４９を選択したときには、その未読フォルダ４９に保存されている未確認の映像、例えば、図５に太線で示す新着の映像Ｎ１，Ｎ２，Ｎ３と、一度は見たが確認済みではない映像Ｎ４，Ｎ５，Ｎ６とが、次へボタン６３または戻りボタン６４の操作に応答し、映像領域６２に受信時刻順に表示される。そして、未読フォルダ４９の全ての映像Ｎ１〜Ｎ６が表示されると、一回りして最初に確認した映像が表示される。
【００２９】
このとき、居室親機ＣＰＵ４３は、これまで一度も再生されていない新着の映像Ｎ１，Ｎ２，Ｎ３を未読マーク６９と一緒に映像領域６２に表示させる。また、新着の映像が未読フォルダ４９と全保存フォルダ５１に存在していることを居住者に知らせるために、居室親機ＣＰＵ４３は、未読マーク６９をフォルダ選択画面５４の「新着（未読）」ボタン５９および「ＡＬＬ」ボタン６１にも添付して表示させる。これらの未読マーク６９は、次へボタン６３または戻りボタン６４の操作によって、新着の映像Ｎ１，Ｎ２，Ｎ３の少なくとも一部が映像表示画面５５に表示された時点でその表示画面５５から消去される。
【００３０】
なお、新着の映像Ｎ１，Ｎ２，Ｎ３に付された未読マーク６９を、再生ボタン６５が操作された時点でフォルダ選択画面５４と映像表示画面５５とから消去するように制御してもよい。あるいは、フォルダ選択画面５４において「新着（未読）」ボタン５９により未読フォルダ４９が選択された時点で、未読マーク６９を映像表示画面５５から消去するように制御してもよい。また、未読フォルダ４９の映像確認中に一括削除ボタン６８が操作されたときに、全保存フォルダ５１に保存された新着の映像Ｎ１，Ｎ２，Ｎ３から未読マーク６９を表示させるための未読フラグを消滅させるように制御することもできる。
【００３１】
居室親機ＣＰＵ４３は、居住者が終了ボタン６６を操作するまで、新着の映像Ｎ１，Ｎ２，Ｎ３を未読フォルダ４９に残す制御を行う。そして、居住者が終了ボタン６６を操作して映像の確認作業を終了したときには、居室親機ＣＰＵ４３が、確認済みとなった映像のみを未読フォルダ４９から既読フォルダ５０に移す制御を行う。例えば、居住者が図７に示す新着の映像Ｎ１，Ｎ２，Ｎ３を確認し、それぞれで終了ボタン６６を操作したときには、図８に示すように、確認済みとなった映像Ｎ１，Ｎ２，Ｎ３が未読フォルダ４９から既読フォルダ５０に移され、そこで受信時刻順に保存される。一方、終了ボタン６６が操作されず、確認済みとなっていない映像Ｎ４，Ｎ５，Ｎ６は、そのまま未読フォルダ４９に残る。したがって、居住者は一度見た映像を繰り返して確認することができる。
【００３２】
既読フォルダ５０に保存された確認済みの映像を再確認する場合は、図９に示すように、フォルダ選択画面５４において「既読」ボタン６０を操作し、映像表示画面５５で次へボタン６３または戻りボタン６４を操作し、映像領域６２に確認済みの映像Ｎ１，Ｎ２，Ｎ３，Ｎ７，Ｎ８，Ｎ９，Ｎ１０を受信時刻順に表示させ、終了ボタン６６を操作して確認作業を終了し、トップ画面５３（図６参照）に復帰する。このときは、終了ボタン６６の操作に伴って何れの映像もシフトされず、既読フォルダ５０に残る。
【００３３】
全保存フォルダ５１に保存された映像を確認する場合は、図１０に示すように、フォルダ選択画面５４で「ＡＬＬ」ボタン６１を操作し、映像表示画面５５で全ての映像Ｎ１〜Ｎ１０を受信時刻順に表示させ、終了ボタン６６を操作してトップ画面５３に戻る。また、各フォルダ４９，５０，５１の映像確認中に削除ボタン６７が操作されたときには、居室親機ＣＰＵ４３が、そのフォルダで削除された映像を他のフォルダからも削除する。例えば、全保存フォルダ５１の映像Ｎ１０を確認中に削除ボタン６７が操作されると、全保存フォルダ５１のみならず、既読フォルダ５０からも同じ映像Ｎ１０が削除される。
【００３４】
なお、図７に示す一括削除ボタン６８を図９、図１０の映像表示画面５５に表示させ、既読フォルダ５０および全保存フォルダ５１の映像を一括削除できるように構成してもよい。また、図７に示す映像表示画面５５において、一括削除ボタン６８が操作されたときに、一括された映像を未読フォルダ４９から既読フォルダ５０に移すように制御することもできる。さらに、未読フォルダ４９に映像が保存されていない場合には、図１１（ａ）に示すように、フォルダ選択画面５４で「新着（未読）」ボタンを非表示にする、あるいは、図１１（ｂ）に示すように、「新着（未読）」ボタン５９にグレーハッチを掛けるなどしてこのボタン５９を選択不能に表示させるなどの制御も可能である。その他、本発明は上記実施形態に限定されるものではなく、発明の趣旨を逸脱しない範囲で、各部の構成を適宜変更して実施することもできる。
【符号の説明】
【００３５】
１    インターホンシステム
１０    集合玄関機
３０    制御機
４０    居室親機
４３    制御部
４６    表示部
４７    操作部
４８    記憶部
４９    未読フォルダ
５０    既読フォルダ
５１    全保存フォルダ
５４    フォルダ選択画面
５５    映像表示画面
６７    削除ボタン
６８    一括削除ボタン
６９    未読マーク
【図１】
2015103865.tif 000003
【図２】
2015103865.tif 000004
【図３】
2015103865.tif 000005
【図４】
2015103865.tif 000006
【図５】
2015103865.tif 000007
【図６】
2015103865.tif 000008
【図７】
2015103865.tif 000009
【図８】
2015103865.tif 000010
【図９】
2015103865.tif 000011
【図１０】
2015103865.tif 000012
【図１１】
2015103865.tif 000013